(57)【特許請求の範囲】
【請求項１】
左右の前脚の上端部間に背凭を支持してなる前脚枠と、略Ｕ字形に形成し並行する左右の脚の各上端部を前記左右の前脚の高さの途中に各回動自由に連結して人字形に組み付けられる後脚枠と、前記前脚枠と後脚枠の高さの途中に渡り左右の側縁部を前脚と後脚にそれぞれ回動自由に枢着して開脚時には水平姿勢に支持され、閉脚時には前記前脚との枢着部を支点に前縁部を跳上げ前記後脚枠を引揃えながら偏平状に折りたゝまれる座とからなる折りたゝみ椅子において、
前記前脚枠若しくは後脚枠のいずれか一方を他方の脚幅より広く形成して脚相互を内側と外側に配置し、外側に配置される脚から内側に向けて間隔保持金具を植設し、該間隔保持金具と前記座の側縁部とを枢着軸を介して枢着する一方、前記折りたゝみ閉脚時に該間隔保持金具の外向きの面と前記内側に位置する他方の脚の内向きの面とを相対向させると同時に、該間隔保持金具の前記外向きの面に弾性係止板を止着して折りたゝみ閉脚時に前記他方の脚の内向きの面との間に介在させて両者を摺接係合し、前後の脚の任意の開脚を阻止することを特徴とした折たゝみ椅子。
【請求項２】
請求項１の記載において、間隔保持金具はＬ字形に形成して外側に位置する脚の内側面から立ち上がり状に植設し、直角に曲折する先端部の枢着片を介して座の側縁部に枢着する一方、前記枢着片の外向きの面を内側に位置する脚の内側面に対向させると共に、該外向きの面に弾性係止板を止着することを特徴とした折たゝみ椅子。
【請求項３】
請求項１又は２の記載において、弾性係止板には内側に位置する脚の内側面と摺り合う面に隆起部を形成し、折りたゝみ閉脚時に前記内側に位置する脚の内側面を摺接係合することを特徴とした折りたゝみ椅子。
【発明の詳細な説明】
【０００１】
【発明の属する技術分野】
本発明は、前脚枠と後脚枠とを人字形に組付けて両脚枠を座の回動によって開閉脚し、座と共に折りたゝめるようにした折りたゝみ椅子に関する。
【０００２】
【従来の技術】
前脚枠と後脚枠を人字形に組み座の回動に伴わせて脚を開閉するようにした折りたゝみ椅子は座そのものが前後の脚枠の開閉を制御するものとなっている。つまり、折りたゝまれた椅子を使用可能な状態にするには前脚枠との枢着点を支点に座の前縁部を押し下げることによって行い、この押し下げによって後脚枠は後方に開いて開脚し、同時に押し下げられた座は開脚した前後の脚によって水平に支持されることになっている。
【０００３】
その一方、折れたゝみ閉脚する場合には座の前端縁を持ち上げて再び前脚枠との枢着点を支点に跳上げる如く回動させればよく、座はこの回動によって両側縁部を前脚枠に揃えると共に後脚枠を引き寄せて前脚枠に揃え、これらを偏平状に折りたゝむことになる。
【０００４】
この様に、折りたゝみ椅子は座の回動操作によって脚を開閉させるが、折りたゝんだ後或いは収納のため運搬する途中で勝手に開脚すると、収納作業や運搬作業が極めて厄介になる。また開脚し使用可能の状態にある椅子を移動するとき簡単に閉じると指や手を挟むことがあり危険でもある。
そこで、勝手に開脚したり閉脚するのを防止するため従来は脚と座を枢着する軸をかしめて強く締め付け、或いは軸にワッシャを嵌めて脚と座の間に挟み回転抵抗を高くして任意に開閉脚しないようにしていた。
【０００５】
【発明が解決しようとする課題】
しかし、この従来法による場合、製品毎に枢着軸の締め付けを一定にすることは大変困難であり、製品間にバラ付きが出る問題や、使用によって緩みが発生して初期の回転抵抗が得られなくなる等の問題があり充分な解決策にはなっていなかった。
【０００６】
本発明は、かかる実情に鑑み開発されたもので、枢着軸のかしめや、ワッシャ等による枢着回転部における抵抗に代えて、枢着部を離れた位置で摩擦係合する係止手段を介挿し、閉脚時には前脚枠と後脚枠とを該係止手段によって一定の拘束力を以て拘束し、不用意な開脚を防止する一方、開脚作業時には上記係合力を超える力を座に加えて回転させることで無理なくこの拘束を解き容易に開脚して使用可能な状態に戻せるようにし、併せて長期の使用によっても拘束力に大きな変化がなく継続的に初期の効果が得られるように改良した折りたゝみ椅子を提供しようとするものである。
【０００７】
【課題を解決するための手段】
本発明は上記課題を解決するため人字形に組付けられる前脚枠と後脚枠のいずれか一方が内側に、他方が外側に位置するように配置して折りたゝみ閉脚時にはこれら両脚枠の脚同志が内外に並んで引き揃えられるようにし、その一方外側に位置する脚には間隔保持金具を備えて該金具を介して座の側縁部に枢着し、前記閉脚時には前記内側の脚と間隔保持金具の相対向する面とを摺接させて摩擦係合させ、これによって両脚枠の任意の開放を拘束するようにした折りたゝみ椅子を提供することにある。
【０００８】
本発明を更に詳述すれば、その特徴とするところは左右の前脚の上端部間に背凭を支持してなる前脚枠と、略Ｕ字形に形成し並行する左右の脚の各上端部を前記左右の前脚の高さの途中に各回動自由に連結して人字形に組み付けられる後脚枠と、前記前脚枠と後脚枠の高さの途中に渡り左右の側縁部を前脚と後脚にそれぞれ回動自由に枢着して開脚時には水平姿勢に支持され、閉脚時には前記前脚との枢着部を支点に前縁部を跳上げ前記後脚枠を引揃えながら偏平状に折りたゝまれる座とからなる折りたゝみ椅子において、
前記前脚枠若しくは後脚枠のいずれか一方を他方の脚幅より広く形成して脚相互を内側と外側に配置し、外側に位置する脚には間隔保持金具を内側に向けて植設し前記座の側縁部と該間隔保持金具とを枢着軸を介して枢着し、前記折りたゝみ閉脚時には内側に位置する他方の脚の一面とこれに対向する前記間隔保持金具の一面とを摺接させ係合させることにより折りたゝみ状態を確保し、任意の開脚を阻止するようにしたことを特徴とする折りたゝみ椅子を提供せんとするものである。
【０００９】
また、本発明は前記間隔保持金具はＬ字形に形成して外側に位置する脚の内側面から立ち上がり状に植設し、直角に曲折する先端部の枢着片を介して座の側縁部に枢着する一方、前記枢着片の外向きの面を内側に位置する脚の内側面に対向させ、折りたゝみ閉脚時に摺接係合させることを特徴とした折りたゝみ椅子を提供することにある。
【００１０】
また、本発明は前記間隔保持金具の枢着片には弾性係止板を添わせ、該弾性係止板を介して折りたゝみ閉脚時に内側に位置する脚の内側面を摩擦係合することを特徴とした折りたゝみ椅子を提供することにある。
【００１１】
また、本発明は前記弾性係止板には内側に位置する脚の内側面と摩り合う面に隆起部を形成し、折りたゝみ閉脚時に前記内側に位置する脚の内側面を摺接係合することを特徴とした折りたゝみ椅子を提供することにある。
次に本発明を添付の図面に示す実施例に基づき具体的に説明し、併せてその他の特徴につき説明する。
【００１２】
【実施の形態】
【実施例】
図１は本発明に係る折りたゝみ椅子の開脚時における斜視図で、図２は図１の椅子を側面側から見た一部を省略する右側面図、図３は閉脚した状態の一部を省略する右側面図、図４は開脚した状態における一部断面とする要部の拡大右側面図であり、図５は閉脚した状態の一部断面とする要部の拡大右側面図、図６は閉脚時の前脚と後脚の関係を示す要部の拡大正面図である。
【００１３】
本発明に係る折りたゝみ椅子は、図示するように上部に背凭４を渡し、全体が略縦長の矩形状をなす前脚枠１と、略Ｕ字形に曲成して左右の上端部を前記前脚枠の高さの途中に連結し人字形に組付けられる後脚枠２と、これら前後の脚枠１，２の高さの途中に両側縁部を渡し、枢着支持される座３とからなっている。そして、ここでは前記前脚枠１と後脚枠２にそれぞれ断面略楕円形状をなす金属パイプ材を使用し、これをそれぞれＵ字形に折り曲げて前脚枠１となる大のフレームと後脚枠２となる小のフレームとを形成するようにしている。
【００１４】
前脚枠１はＵ字形に曲成した中央部分を接地部１ａとし、その両端から並行に立ち上がる部分を左右の前脚１ｂ，１ｂとしてその両上端部間に背凭枠（図示せず）を渡し、これを発泡ウレタン樹脂製のパットで包んで背凭４を形成してあり、全体として縦長の矩形の枠となるよう形成してある。
【００１５】
他方、後脚枠２は楕円形金属パイプの中央部を接地部２ａとしてＵ字形に折り曲げ並行する左右の後脚２ｂ，２ｂを立ち上げ、その両上端部を前記前脚枠１の左右の前脚１ｂ，１ｂの高さの途中に臨ませて後述する連結雄，雌部材からなる連結手段を介して連結し、前脚枠に対して「人」の字形に組付けてある。
【００１６】
座３は略矩形に組立てる金属枠（図示せず）の全体を包み込むように発泡ウレタン樹脂で被覆し、肉厚の弾性を有した板状に形成してあり、その両側縁部３ａ，３ａの略中央部に前記前脚枠１の左右の前脚１ｂ，１ｂの高さの途中を臨ませ枢着ピン５を介して回動自由に枢着し、またこの枢着位置より後方の位置に後脚枠２の左右の後脚２ｂ，２ｂを添わせ枢着ピン６を介して回動自由に枢着し連結してある。
【００１７】
図示するように、この実施例では前脚枠１に対して後脚枠２の横幅を左右において脚の素材となる楕円形金属パイプの略１本分に相当する幅で広げ、左右の前枠１ｂ，１ｂに対して左右の後脚２ｂ，２ｂが外側に位置するようにしてある。そして、前脚枠１は左右の前脚１ｂ，１ｂを座３の両側縁部３ａ，３ａに直接添わせて前述した如く枢着ピン５により枢着する一方、外側に位置する後脚２ｂ，２ｂはそれぞれＬ字形に形成した間隔保持金具７を内側面から内方向に立設してその先端の直角をなす枢着片７ａを座の側縁部３ａ，３ａに添わせてこの両者を枢着ピン６によって枢着し連結するようにしている。
【００１８】
図中、８は連結ロッド９を延設する連結雄部材であり、１０は連結ロッド９を嵌め入れ摺動自由に滑合する連結雌部材である。
この雄雌の両部材は前脚１ｂ，１ｂと後脚２ｂ，２ｂの上端部とを連結するための連結手段であり、一方の連結雄部材８は一端に枢着ピン１１を通すための横向きの透孔１２を設け、他端から略楕円形断面をなす連結ロッド９を延設している。
【００１９】
上記連結雄部材８は棒状をなす連結ロッド９を芯材にしてその一端をくの字形に屈曲させると共に、該部分を偏平に潰してピン１１を通す透孔を穿ち、更にこの部分を合成樹脂中に包み込むようにして形成してあり、連結ロッド９が延び出る合成樹脂部分の端部には鞘状のカバー１３を装着するための嵌合部１４が設けてある。
【００２０】
他方、連結雌部材１０は後脚枠２の左右の後脚２ｂ，２ｂの各上端開口部に嵌合固着して前記ロッド９を挿通し、雄部材８と組合うものであり、図６に示したように略全体を各後脚の開口部に嵌め込み取り付けられる。
【００２１】
この連結雌部材１０は連結ロッド９の摺動に耐えられる強靱な素材であることが求められが、更に言うならばある程度の硬度と多少の弾性を有し、高い耐摩耗性と小さい摩擦計数を有した素材が望ましく、このため合成樹脂が材料として製造加工の面からも適当である。尚、この実施例ではポリアセタール樹脂を材料に成形している。
【００２２】
この連結雌部材１０はここでは後脚２ｂの内径断面に適合させた短尺な棒状に形成して一端には後脚の開口縁に当接しそれ以上の侵入を阻止する鍔１５を形成しあり、軸心部分には全長を貫く貫通孔１６を開設し、これに前記連結ロッド９を挿通するようにしてある。
【００２３】
更に、この実施例では雌部材１０には先端部から上記貫通孔１６に沿うように縦に切込み１７を形成して該先端部を二又に分割し撓み性を付与した弾性片部１０ａ，１０ａを設け、更に両弾性片部の外周面の中程にそれぞれ山形に隆起する突条１８，１８を周方向に沿って設けている。
【００２４】
連結雌部材１０に開設する前記貫通孔１６は連結ロッド９の断面形に略適合させた穴径に形成してあり、挿通する連結ロッドに対してこれを抜き差し方向に摺動させる際、内壁面と接触して摩擦抵抗が付与されるようにしてある。
【００２５】
この連結雌部材１０につき更に説明すると、該部材は前記後脚２ｂの開口部に対して無理に押込むことによって装着するものであって、この嵌め付けに際しては前記切り割った両弾性片部１０ａ，１０ａの弾性を利用してこれを縮径させながら押し入れ、これと共に突条１８，１８を開口部内に押し込むことになる。
【００２６】
図１１の図（Ａ）は後脚２ｂに嵌合する前の連結雌部材１０の中央縦断面図が示してある。ここには前記貫通孔１６が先端側に向って徐々に拡径するテーパー状をなすことが示されている。
同じく図（Ｂ）はこの雌部材１０を後脚２ｂの開口部に嵌合させた状態を示している。二又に分割された弾性片部１０ａ，１０ａは外周面に形成する突条１８，１８によって縮径方向に撓められ、前記テーパー状に拡径された貫通孔１６が該部分で実質的に縮径されることが示されている。
【００２７】
更に、図１１の図（Ｃ）は上記嵌合した連結雌部材１０に連結ロッド９を挿通し結合させた状態が示してある。貫通孔１６の一端から挿通された連結ロッド９は突条１８，１８によって縮径された部分を通って挿通され、その先において両弾性片部１０ａ，１０ａの先端ガ上記突条１８，１８を枕にして押し広げられ、この両先端部の弾性を高めて連結ロッド９に対する摩擦抵抗が大になることが示される。
【００２８】
一方、前記鞘状をなすカバー１３は後脚２ｂを差し込める略同一断面形をなす半硬質合成樹脂を材料にして形成してあり、上端の開口部の内周面には前記連結雄部材８の嵌合部１４に形成する係止部１９に掛け止める係止爪２０を設け、下端開口部には内側面を縦に切り込んで前記間隔保持金具７を受け入れるための切欠き部２１が設けてある。
【００２９】
このカバー１３は前後の脚枠１，２を閉脚する際に後脚２ｂの上端に装着される前記連結雌部材１０から引き出される連結ロッド９の露出を防止するためのものであり、後脚２ｂが前脚１ｂに寄り添う如く閉脚される際に引き出される連結ロッド９を被い隠すのに充分な長さを持っている。
尚、このカバー１３は装着する際、連結ロッド９の先端から通して嵌合部１４を上端開口部に嵌め入れると共に無理に押付けて素材の弾性を利用して内面の係止爪２０を係止部１９に掛け止めることによって止め付けられる。
【００３０】
図中、２２は前記間隔保持金具７の外向きの面に添わせた弾性係止板である。この弾性係止板２２は前後の脚枠１，２を閉じたとき外側に位置する後脚２ｂの内側に寄り添って間隔保持金具７との間に入り込んでくる前脚１ｂを受け止め、この間隔保持金具７との直接的な接触を回避しながら摩擦係合させるための介挿部材である。
【００３１】
この実施例に示す弾性係止板２２は後脚２ｂの内側面から延設されるＬ字形に形成してなる間隔保持金具７の内側の面（座４を中心にしたとき外向きの面となる。）に沿ってその全面が被えるようにＬ字形をなす板片に形成してある。そして、間隔保持金具７の枢着片７ａに添わせる板部２ａには端部に近い表面に断面山形をなす隆起部２３を設けてあり、また縁部には間隔保持金具７の縁部を囲む縁片２４が延設してあり、更に前記板部２２ａの上下の縁の略中間に位置する上記縁片２４の内側には掛け止めに使用される係止突起２５，２５が向い合せに設けてある（図８参照）。
【００３２】
上記弾性係止板２２には適度の弾性と剛性が有り、且つ耐摩耗性と小さい摩擦計数を有する素材、例えばポリアミド樹脂等の合成樹脂材料が適当である。
図７，図８にはこの弾性係止板２２が具体的に示してある。間隔保持金具７の形状に適合するよう形成した弾性係止板はこの保持金具７の内側の面（実質的には外向きの面となる。）を包むように被せて前記縁片２４の内側に設ける係止突起２５，２５を枢着片７ａの上下の縁に切欠き形成する凹部２６，２６に嵌合させることによって止め付けられる。
【００３３】
この弾性係止板２２の止め付けに当たっては素材の弾性を利用してやゝ引き伸ばし加減で装着し、間隔保持金具７に密着させ、更に図示するにうにこの金具の枢着片７ａの上下の縁を先端に向けて徐々に狭めてこれに添わせる板部２２ａを先端方向にずらすようにして縁に設ける前記凹部２６，２６に係止突起２５，２５を強く係合させるようにしてある。勿論、この場合接着剤を使って貼り付けるようにしてもよいことは言うまでもない。
【００３４】
図９は前記弾性係止板２２の装着作業を図示説明したものである。これによれば、先ず間隔保持金具７の枢着片７ａに係止板２２の板部２２ａを添わせ、その縁片２４で縁部を囲み、併せて凹部２６，２６に係止突起２５，２５を嵌合させて密着係合させ（Ａ図参照）、その後他方の板部２２ｂを間隔保持金具７の基端部に添わせて同じく縁片２４でこの基端部の縁部を囲み（Ｂ図参照）取付を完了することが示されている。
【００３５】
本発明に係る折りたゝみ椅子は上述の如く構成されるもので、使用時における椅子は図１，２に示したように前後の脚フレーム１，２を人字形に開脚し、併せて座３を水平に倒して着席を可能にする。このとき後脚フレーム２は図４に示したように連結雄部材８の連結ロッド９を後脚２ｂの上端開口部深く突き入れて連結雄部材１０に直接衝き合せ、前脚１ｂとの枢着部、つまり枢着ピン１１に最も近付いた状態にしてそれ以上の開脚を阻止し、安定した状態で座３を水平に保持することになる。
【００３６】
次に、折りたゝみ閉脚する際には、座３の前縁部を持ち上げ、前脚１ｂとの枢着ピン５を支点に跳ね上げると、座の回転に伴って後脚２ｂがピン１１を支点に回動しながら引き下ろされ、上端開口部から連結ロッド９を引き出することになる。そして跳上げた座３が前脚１ｂに揃ったとき後脚２ｂも後方からこの前脚１ｂに引き揃えられて三者が共に並行に揃い偏平状に折りたゝまれることになる。これと同時に前脚１ｂは後脚２ｂの内側に入り間隔保持部材７に対面すると共に当接しそれ以上の回転が止められることになる。
【００３７】
このとき、間隔保持部材７に対して前脚１ｂは先ずその内側面を該保持部材の枢着片７ａの内側の面（つまり座３を中心としたとき外向きの面となる）に摺接し、この枢着片７ａに添わせた弾性係止板２２の板部２２ａに擦り合せるようにして侵入することになる。そして同時にこの板部２２ａに隆設する隆起部２３に押付けられることになる。
【００３８】
図１０の一点鎖線は間隔保持金具７に接触する前の前脚１ｂを示し、二点鎖線は弾性係止板２２の隆起部２３に前脚１ｂが乗り上げた状態を示している。このとき前脚１ｂはパイプ材の撓み性を利用して一旦外に広がり上記隆起部２３に乗り上がることになる。この状態から更に折りたゝみが進行すると、実線で示したように前脚１ｂは隆起部２３を乗り越えて間隔保持金具７の基端部を被う板部２２ｂに衝合し、この位置で止められ、折りたゝみが完了することになる。
【００３９】
この前脚１ｂと間隔保持金具７との擦り合せに当たっては隆起部２３との衝合に際し、その弾性を利用してこれを押潰しながら侵入するが、この実施例では図１０に示したように座３の両側縁部に枢着する左右の間隔保持金具７，７の枢着片７ａ，７ａの外向きの面相互間の距離に対して左右の前脚１ｂ，１ｂの内側面間の距離を略等しくしてあり、これによって摺り合せの際に左右の前脚１ｂ，１ｂが弾性係止板２２の板厚分外に押し広げられるようにして摺り合せの摩擦を高め、両者の噛み合せを強めるようにしてある。
【００４０】
従って、隆起部２３を乗り越えた前脚１ｂはこの隆起部の復元により戻りを止められることにより、或いはここでは前脚１ｂと弾性係止板２２が摺り合う摩擦力によって間隔保持金具７から前脚１ｂが離れるのを阻止されることになり前後の脚が任意に開脚するのを止められることになる。
【００４１】
ところで、実施例ではＬ字形に形成した間隔保持金具７を利用してこれの枢着片７ａに前脚１ｂの内側面を弾性係止板２２を介して摺接し係止する構造としたが、これに代えて例えば前記間隔保持金具をＵ字形に形成してその一片を枢着片とし、他片を後脚２ｂに対する取付片として前脚１ｂをこのＵ字形保持金具の間に割り込ませるようにして両片のいずれかに前脚１ｂの側面を摺接させ摩擦係合させるようにしても本発明を実施することができる。
【００４２】
勿論、この場合前脚１ｂを直接間隔保持金具に摺接させると異音を発し、また損傷し、更には噛み合いが強くなり摺接が不能になることもあるので、前記実施例と同様に少なくとも前脚１ｂと直接接触する面に弾性係止板を付設して両者間に介在させ、上述の問題を解消するようにするとよい。
【００４３】
また、前記前脚の摩擦係止に当たっては平坦な弾性係止板に摺接させ、素材の摩擦力によって止め付けるようにしてもよく、また摺接面に前述の隆起部を突設したり、或いはこの面を凹凸の粗雑面に形成して係合力を高めるようにして前脚の自由な動きを止めるようにしてもよい。
【００４４】
要するに、本発明は前脚と後脚との打ち合わせ部分に折りたゝみ閉脚時に摺り合う摩擦係止部を形成して両脚をこの係止部で係合させ、自然の開脚や座の自重による回転により任意に開脚して持ち運びの際、或いは収納の際にその妨げにならないようにしたものであって、本発明の実施に際してはこの趣旨に従って前記実施例に拘束されることなく形状、材料等を選択し実施することができる。
【００４５】
【発明の効果】
以上実施例につき説明したように本発明折りたゝみ椅子は前後両脚枠を閉脚したとき前後の脚１ｂ，２ｂ同志を間隔保持金具７を介して摺り合せ任意の開脚を阻止するものとしたことから持ち運び移動の際に、或いは収納時に勝手に開脚して作業の妨げとなることを有効に防止することができ、また危険を回避することができる。
【００４６】
また、折りたゝみ閉脚時に前脚枠と後脚枠との衝突を間隔保持金具に添わせた弾性係止板が受けて緩衝するため金属パイプ同志の衝突による騒音を回避することができる。
【００４７】
また一方、前記説明の通り開閉脚の際には前脚と後脚上端部とを繋ぐ連結手段となっている連結ロッド９が連結雌部材１０の貫通孔１６を抵抗を受けながら出入り摺動するため任意の開閉脚を抑制すると共に、急激な開閉脚を防止して騒音の発生や手を挟む等の危険を有効に防止することができる。
【図面の簡単な説明】
【図１】本発明に係る折りたゝみ椅子を使用可能な状態に開脚した斜視図。
【図２】開脚状態における椅子の一部を省略した右側面図。
【図３】閉脚した状態における椅子の一部を省略した右側面図。
【図４】開脚状態における一部断面とした要部の拡大右側面図。
【図５】閉脚状態における一部断面とした要部の拡大正面図。
【図６】開脚状態における前脚と後脚の関係を示す一部欠截した要部の拡大正面図。
【図７】要部の拡大分解斜視図。
【図８】間隔保持金具と弾性係止板との関係を示す拡大斜視図。
【図９】図（Ａ）及び図（Ｂ）は間隔保持金具に弾性係止板を装着する手順を説明する平面図。
【図１０】前脚と後脚の関係及び前脚と間隔保持金具との係合関係を説明する平面図。
【図１１】後脚と連結雌部材との関係及び連結ロッドとの関係を示し、図（Ａ）は連結雌部材の装着前、図（Ｂ）は装着した状態、図（Ｃ）は装着した連結雌部材に連結ロッドを挿通した状態を示す断面図である。
【符号の説明】
１        前脚枠
１ｂ      前脚
２        後脚枠
２ｂ      後脚
３        座
３ａ      座の側面部
４        背凭
５，６    枢着ピン
７        間隔保持金具
７ａ      間隔保持金具の枢着片
８        連結雄部材
９        連結ロッド
１０      連結雌部材
１１      枢着ピン
１３      鞘状のカバー
１４      嵌合部
１６      連結雌部材の貫通孔
２２      弾性係止板
２２ａ    弾性係止部の板部
２３      隆起部
２５      突起
２６      凹部
【図１】
0003877436.tif 000002
【図２】
0003877436.tif 000003
【図３】
0003877436.tif 000004
【図４】
0003877436.tif 000005
【図５】
0003877436.tif 000006
【図６】
0003877436.tif 000007
【図７】
0003877436.tif 000008
【図８】
0003877436.tif 000009
【図９】
0003877436.tif 000010
【図１０】
0003877436.tif 000011
【図１１】
0003877436.tif 000012